(57)【特許請求の範囲】
【請求項１】
液体を貯留する液体貯留部及びこの液体貯留部内に圧力を付与する加圧部をハウジング内にそれぞれ設けるとともに、前記液体貯留部内に液体が流通する液体流路を設け、この液体流路の下流側の液体流出口に、前記加圧部によって加圧された液体が通過可能な多孔質部材を設け、この多孔質部材は、液体流路側が狭く液体流路と反対の外部側が広くなるような形状であり、前記多孔質部材と前記液体流路の下流側の液体流出口との間に空隙を設け、この空隙に、規定以上の圧力が付与したときに前記液体が通過可能な耐圧部材を、前記空隙を閉塞するようにして設けたことを特徴とする美容器具。
【請求項２】
前記耐圧部材は、液体が透過可能な半透過性の膜であることを特徴とする請求項１に記載の美容器具。
【請求項３】
前記耐圧部材は、前記規定以上の圧力の液体によって開口する流通部を備える弾性膜であることを特徴とする請求項１に記載の美容器具。  
【請求項４】
前記弾性膜は、外周側から中心部に向けて厚さが徐々に薄くなるよう構成したことを特徴とする請求項３に記載の美容器具。
【請求項５】
前記液体流路に、前記液体貯留部内に形成される空気領域に一端が開口する空気流路の他端を連通接続し、前記加圧部の加圧時に前記空気流路から前記液体流路に空気を送り込むことを特徴とする請求項１ないし４のいずれか１項に記載の美容器具。
【発明の詳細な説明】
【技術分野】
【０００１】
本発明は、液体を髪に吹き付けて髪のケア（お手入れ）を行う美容器具に関する。
【背景技術】
【０００２】
従来、美容器具として例えばヘアドライヤにおいては、乾いた熱風ばかりでなく、適宜液体を髪に吹き付けて整髪ができるようにしたものが知られている（下記特許文献１参照）。
【０００３】
このヘアドライヤは、液体を吹き付けて使用する際に、外部に設けた押ボタンを押すことで、内蔵しているポンプによって、熱風吹出口近傍に設けてあるスプレーノズルから液体が噴射される。
【０００４】
【特許文献１】実公昭５１−３２６３１号公報
【発明の開示】
【発明が解決しようとする課題】
【０００５】
ところが、上記した従来のヘアドライヤは、手動によって押ボタンを押す毎に液体を噴射する構成であることから、液体が一気に多量に噴射される恐れがあり、髪がべたつくなどの課題がある。
【０００６】
そこで本発明は、液体を適量髪に吹き付けて整髪できるようにすることを目的としている。
【課題を解決するための手段】
【０００７】
請求項１の発明は、液体を貯留する液体貯留部及びこの液体貯留部内に圧力を付与する加圧部をハウジング内にそれぞれ設けるとともに、前記液体貯留部内に液体が流通する液体流路を設け、この液体流路の下流側の液体流出口に、前記前記加圧部によって加圧された液体が通過可能な多孔質部材を設け、この多孔質部材は、液体流路側が狭く液体流路と反対の外部側が広くなるような形状であり、前記多孔質部材と前記液体流路の下流側の液体流出口との間に空隙を設け、この空隙に、規定以上の圧力が付与したときに前記液体が通過可能な耐圧部材を、前記空隙を閉塞するようにして設けたことを特徴とする。
【０００９】
請求項２の発明は、請求項１に記載の美容器具であって、前記耐圧部材は、液体が透過可能な半透過性の膜であることを特徴とする。
【００１０】
請求項３の発明は、請求項１に記載の美容器具であって、前記耐圧部材は、前記規定以上の圧力の液体によって開口する流通部を備える弾性膜であることを特徴とする。
【００１１】
請求項４の発明は、請求項３に記載の美容器具であって、前記弾性膜は、外周側から中心部に向けて厚さが徐々に薄くなるよう構成したことを特徴とする。
【００１２】
請求項５の発明は、請求項１ないし４のいずれか１項に記載の美容器具であって、前記液体流路に、前記液体貯留部内に形成される空気領域に一端が開口する空気流路の他端を連通接続し、前記加圧部の加圧時に前記空気流路から前記液体流路に空気を送り込むことを特徴とする。
【発明の効果】
【００１３】
請求項１の発明によれば、加圧部によって液体が加圧された状態で、多孔質部材の多数の孔から液体が分散して流出するので、液体を適量髪に吹き付けて整髪することができる。
【００１４】
請求項１〜４の発明によれば、加圧されていない状態での液体の多孔質部材からの漏れを耐圧部材によって阻止することができる。
【００１５】
請求項５の発明によれば、液体流路を流れる液体に空気が混入することで、多孔質部材から流出する液体をより微細化することができる。
【発明を実施するための最良の形態】
【００１６】
以下、本発明の実施の形態を図面に基づき説明する。
【００１７】
図１は、本発明の第１の実施形態を示す美容器具であるヘアドライヤの一部を省略した側面断面図、図２は、図１のＡ矢視図である。このヘアドライヤは、中空筒状のハウジングとしての風洞１を備えるとともに、この風洞１の長手方向一方の端部外周に把持部３を備えている。
【００１８】
風洞１内の前記した把持部３を備えた側には送風手段である送風ファン５を備え、送風ファン５の回転駆動により、風洞１の一方の端部に設けた吸入口７から風洞１内に空気を吸い込み、他方の端部に設けた吐出口９から風洞１外に空気を吐出して送風する。送風ファン５は、モータ１１及び、モータ１１によって回転する羽車１３をそれぞれ備え、これらがファンシュラウド１５を介して風洞１の内壁に取り付けられている。
【００１９】
風洞１内の吐出口９の中心位置には、液体貯留部としてのタンク１７を設置し、このタンク１７内に液体である水Ｗを貯留している。タンク１７は、風洞１の前端部と前面がほぼ同一面となっている円板状の端板１９と、端板１９の送風ファン５側に、端板１９側が開口している円筒カップ状のケース２１とを備え、端板１９の外周部に複数の支持具２３を介して風洞１の内壁に取り付けられている。
【００２０】
図３は、上記図１におけるタンク１７を拡大した断面図である。端板１９の中心位置の内面には、液体配管２５の一端を接続し、これら端板１９と液体配管２５とを一体的に構成している。液体配管２５は、端板１９に対し直角方向に延びる下流部２７と、下流部２７の端板１９と反対側の端部から図３中で下方に延びる上流部２９とを備え、これら下流部２７及び上流部２９内に液体流路３１を形成している。
【００２１】
また、下流部２７の図３中で上部には、空気導入管３３を接続し、空気導入管３３内に形成される空気流路３５の一端３５ａを液体流路３１に連通接続する一方、他端３５ｂをタンク１７内の水Ｗの上方に形成される空気領域３７内に開口させる。
【００２２】
上記した液体配管２５の上流部２９の先端、すなわち液体流路３１の水Ｗ内の開口３１ａは、タンク１７の図３中で下部近傍に位置し、水Ｗの吸込口を構成している。一方、液体流路３１の下流側端部の開口３１ｂは、端板１９の中心部に液体配管２５と反対側の外部から凹となるよう形成してある空隙１９ａに開口して水Ｗの吐出口を構成している。
【００２３】
上記した空隙１９ａには、空隙１９ａを閉塞するようにして耐圧部材としての半透過性の膜３９を設けている。この膜３９は、規定以上の圧力が付与したときに水Ｗが通過可能な、例えば不織布で構成している。
【００２４】
そして、上記した空隙１９ａを覆うようにして端板１９の外側の面には、多孔質体保持ブロック４１を取り付けている。多孔質体保持ブロック４１は、空隙１９ａと外部とを連通する貫通孔４１ａを有している。貫通孔４１ａは空隙１９ａ側が狭く（小径）、空隙１９ａと反対の外部側が広く（大径）なるような円錐形状を呈しており、この貫通孔４１ａに、該貫通孔４１ａと同形状の多孔質部材としての多孔質体４３を収容固定している。
【００２５】
多孔質体４３は、小径側に対応する空隙１９ａと、大径側に対応する外部とを連通する多数の小孔を備え、例えばセラミックや金属で構成される。
【００２６】
また、端板１９の上記した多孔質体保持ブロック４１を取り付けた部位よりも図３中で上部には、液体注入口４５を貫通させて設けてあり、この液体注入口４５には、Ｏリング４７を介して蓋４９を着脱可能に取り付けている。
【００２７】
一方、図１に示すように、風洞１の吐出口９近傍の上部内面には、加圧部としてのポンプ５１を取り付けてあり、このポンプ５１と前記したタンク１７とを、空気供給管５３によって互いに連通接続している。この空気供給管５３は、内部に形成してある空気供給通路５５の流出口５５ａが、前記した端板１９の近傍に位置し、かつ空気流路３５の他端３５ｂに一部が対向している。
【００２８】
このように構成したヘアドライヤは、把持部３を手に持ち図示しない電源スイッチを操作することで、送風ファン５が回転駆動して送風空気を吐出口９から吐出させ人の髪に当てて使用する。
【００２９】
このとき、上記のスイッチ操作と同時に、または別のスイッチ操作によってポンプ５１が作動し、空気供給通路５５からタンク１７内に空気を送ってタンク１７内を加圧する。
【００３０】
タンク１７内を加圧することで、この加圧力がタンク１７内の水Ｗに付与され液体流路３１を経て空隙１９ａ内に作用し、その結果水Ｗが膜３９を透過してその前方に流出し、多孔質体４３の多数の小孔を通して外部に微細化して放出される。
【００３１】
このとき、タンク１７内の空気領域３７の空気が、前記した加圧作用によって空気流路３５から液体流路３１に流出して水Ｗ中に混入するので、上記多孔質体４３から放出される水Ｗは、より微細化して噴霧状に放出されることになる。
【００３２】
したがって、本実施形態では、上記したような微細化した霧を髪に噴射することで、従来のように多量の水が一気に噴射されて髪がべたつくなどの不具合を招くことなく整髪することが可能となる。
【００３３】
また、多孔質体４３の上流側の空隙１９ａ内に半透過性の膜３９を設けることで、タンク１７内が加圧されていない状態での多孔質体４３からの水漏れを阻止することができ、信頼性のあるヘアドライヤとなる。
【００３４】
なお、本ヘアドライヤの使用形態によっては、空気流路３５の空気導入口である他端３５ｂが水Ｗ内に水没する場合も考えられるが、空気流路３５の空気導入口が水Ｗ内に水没して液体流路３１に空気を導入できない場合であっても、水Ｗへの加圧力で吐出する水Ｗの微細化は可能である。
【００３５】
図４は、本発明の第２の実施形態を示す、前記図３に対応する断面図である。この実施形態は、前記図３の構造における半透過性の膜３９に代えて、ゴムなどからなる弾性膜５７を使用している。
【００３６】
弾性膜５７は、図４中で左右両側の面に円錐状の凹部を形成するように、外周側から中心部に向けて厚さが徐々に薄くなるよう構成し、その最も薄くなっている中心部に、規定以上の圧力の水Ｗによって開口して該水Ｗが流通可能な流通部５７ａを形成している。
【００３７】
この流通部５７ａは、図５に示すように、中心部に極めて微細な針状の小孔５７ｂを設けておき、水Ｗの圧力が流通部５７ａに作用したときに、小孔５７ｂが押し広げられて大きくなり、水Ｗの流通が可能となる。
【００３８】
したがって、この第２の実施形態においても、タンク１７内を加圧することで、タンク１７内の水Ｗが、弾性膜５７の流通部５７ａを経てその前方に流出し、多孔質体４３の多数の小孔を通して外部に微細化して放出されるので、第１の実施形態と同様の効果を得ることができる。
【００３９】
図６は、本発明の第３の実施形態を示す、美容器具であるヘアアイロンの斜視図、図７は同側面図、図８は、図７のＢ−Ｂ断面図である。この実施形態は、上記したヘアアイロンに、図１に示してあるタンク１７と同等のタンク１７Ａや、図１に示してあるポンプ５１と同等のポンプ５１Ａなど、水Ｗを微細化して噴出するための構成を適用している。なお、第３の実施形態では、前記図１に示した第１の実施形態と同様の構成要素には、同一の番号の後に、アルファベットの大文字Ａを付して説明することとする。
【００４０】
すなわち、このヘアアイロンは、ハウジングとしてのヘアアイロン本体５９の基端部と挟持板６１の基端部とが回動支持部６３にて回動可能であって先端側が開閉可能であり、その先端側の互いに対向する面に加熱板６５と加熱板６７とをそれぞれ設けている。そして、この加熱した状態の各加熱板６５，６７相互間に髪を挟むことで髪のケア（お手入れ）を行う。
【００４１】
このようなヘアアイロンには、図８に示すように、その長手方向ほぼ中央位置の幅方向（図８中で上下方向）両側に、側方に突出する一対の膨出部６９を設け、この各膨出部６９内に前記したタンク１７Ａをそれぞれ収容配置している。
【００４２】
タンク１７Ａは、端板１９Ａを膨出部６９に設けた開口６９ａに露出させた状態で取り付けている。この開口６９ａは、加熱板６５を設けてある前方側（図７中で左側）に向けて開口している。
【００４３】
そして、タンク１７Ａ内には、第１の実施形態と同様にして、液体流路３１Ａを有する液体配管２５Ａ及び、液体流路３１Ａに連通接続する空気流路３５Ａを有する空気導入管３３Ａを、それぞれ収容配置している。また端板１９Ａには、空隙１９ａＡ内に半透過性の膜３９Ａを設けるとともに、その前方の多孔質体保持ブロック４１Ａに形成してある円錐形状の貫通孔４１ａＡには、多孔質体４３Ａを収容固定している。
【００４４】
また、前記したポンプ５１Ａは、タンク１７Ａと回動支持部６３との間のヘアアイロン本体５９内に設けており、このポンプ５１Ａとタンク１７Ａとを、内部に空気供給通路５５Ａを備える空気供給管５３Ａによって互いに連通接続している。
【００４５】
さらに、一対のタンク１７Ａの互いに対向する側の側部には、水Ｗをタンク１７Ａ内に注入するための注入管７１の一端を接続し、注入管７１の他端は、ヘアアイロン本体５９内に形成してある注入空間７３に接続している。そして、この注入空間７３には、図示しないＯリングを介して蓋４９Ａを着脱可能に取り付けている。
【００４６】
ここで、上記した注入管７１及び注入空間７３は、ヘアアイロン本体５９内に収納配置しており、蓋４９Ａの頭部は挟持板６１に対向する側に露出しており、該頭部を掴んで蓋４９Ａを取り外すことができる。
【００４７】
このような構成のヘアアイロンにおいては、ヘアアイロン本体５９の側部に設けてある電源スイッチ７５を操作することで、加熱板６５，６７が加熱され、該加熱された加熱板６５，６７相互で髪を挟持して使用する。
【００４８】
このとき、上記のスイッチ操作と同時に、または別のスイッチ操作によって、第１の実施形態と同様に、ポンプ５１Ａが作動し、タンク１７Ａの水が微細化された状態で多孔質体４３Ａの多数の小孔から噴出されるので、多量の液体が一気に噴射されて髪がべたつくなどの不具合を招くことなく整髪することが可能となる。
【００４９】
図９は、本発明の第４の実施形態を示す、美容器具であるヘアブラシの正面図、図１０は、図９のＣ−Ｃ断面図である。この実施形態は、上記したヘアブラシに、図１に示してあるタンク１７と同等のタンク１７Ｂや、図１に示してあるポンプ５１と同等のポンプ５１Ｂなど、水を微細化して噴出するための構成を適用している。なお、第４の実施形態では、前記図１に示した第１の実施形態と同様の構成要素には、同一の番号の後に、アルファベットの大文字Ｂを付して説明することとする。
【００５０】
すなわち、このヘアブラシは、ハウジングとしてのヘアブラシ本体７７の先端側の外部表面７７ａに多数のブリッスル７９を設けてブラシを構成しており、このブリッスル７９を設けた外部表面７７ａの内側に前記したタンク１７Ｂを収容固定している。
【００５１】
そして、タンク１７Ｂ内には、第１の実施形態と同様にして、液体流路３１Ｂを有する液体配管２５Ｂ及び、液体配管２５Ｂに連通接続する空気流路３５Ｂを有する空気導入管３３Ｂを、それぞれ収容配置しており、その端板１９Ｂを外部表面７７ａの内側に固定し、外部表面７７ａに設けた貫通孔７７ｂに多孔質体保持ブロック４１Ｂを挿入配置している。なお、貫通孔７７ｂは、多数のブリッスル７９を設けた領域のほぼ中心に設けてある。
【００５２】
また、前記したポンプ５１Ｂは、ヘアブラシ本体７７の把持部７７ｃ内に一部が位置するようヘアブラシ本体７７内に設けてあり、このポンプ５１Ｂとタンク１７Ｂとを、内部に空気供給通路５５Ｂを備える空気供給管５３Ｂによって互いに連通接続している。空気供給通路５５Ｂのタンク１７Ｂ側の端部には、タンク１７Ｂからポンプ５１Ｂへの水の逆流を阻止する逆止弁８１を設けている。
【００５３】
さらに、タンク１７Ｂのポンプ５１Ｂと反対側の図１０中で上部には、水Ｗをタンク１７Ｂ内に注入するための注入管８３の一端を接続し、注入管８３の他端はヘアブラシ本体７７の先端部に設けて開口７７ｄに連通させ、この開口７７ｄに、図示しないＯリングを介して蓋４９Ｂを着脱可能に取り付けている。
【００５４】
このような構成のヘアブラシにおいては、髪をブラッシングして髪のケア（お手入れ）を行う際に、ヘアブラシ本体７７に設けてある電源スイッチ８５を操作すると、電源ランプ８７が点灯するとともに、第１の実施形態と同様に、ポンプ５１Ｂが作動し、タンク１７Ｂの水Ｗが微細化された状態で多孔質体４３Ｂの多数の小孔から噴出されるので、多量の液体が一気に噴射されて髪がべたつくなどの不具合を招くことなく整髪することが可能となる。
【００５５】
なお、前記した図６〜図８に示したヘアアイロン及び図９，図１０に示したヘアブラシにおける耐圧部材としての半透過性の膜３９Ａ及び３９Ｂに代えて、第１の実施形態と同様に、図５に示したような中心部に小孔を備えるゴムなどからなる弾性膜を使用してもよい。
【図面の簡単な説明】
【００５６】
【図１】本発明の第１の実施形態を示す美容器具であるヘアドライヤの一部を省略した側面断面図である。
【図２】図１のＡ矢視図である。
【図３】図１におけるタンクを拡大した断面図である。
【図４】本発明の第２の実施形態を示す、図３に対応する断面図である。
【図５】（ａ）は図４の弾性膜を拡大した断面図、（ｂ）は図４の弾性膜を拡大した正面図である。
【図６】本発明の第３の実施形態を示す、美容器具であるヘアアイロンの斜視図である。
【図７】図６のヘアアイロンの側面図である。
【図８】図７のＢ−Ｂ断面図である。
【図９】本発明の第４の実施形態を示す、美容器具であるヘアブラシの正面図である。
【図１０】図９のＣ−Ｃ断面図である。
【符号の説明】
【００５７】
Ｗ  水（液体）
１  風洞（ハウジング）
１７，１７Ａ，１７Ｂ  タンク（液体貯留部）
３１，３１Ａ，３１Ｂ  液体流路
３５，３５Ａ，３５Ｂ  空気流路
３７，３７Ａ，３７Ｂ  タンク内の空気領域
３９，３９Ａ，３９Ｂ  半透過性の膜（耐圧部材）
４３，４３Ａ，４３Ｂ  多孔質体（多孔質部材）
５１，５１Ａ，５１Ｂ  ポンプ（加圧部）
５７  弾性膜
５７ａ  弾性膜の流通部
５９  ヘアアイロン本体（ハウジング）
７７  ヘアブラシ本体（ハウジング）
【図１】
0005009765.tif 000002
【図２】
0005009765.tif 000003
【図３】
0005009765.tif 000004
【図４】
0005009765.tif 000005
【図５】
0005009765.tif 000006
【図６】
0005009765.tif 000007
【図７】
0005009765.tif 000008
【図８】
0005009765.tif 000009
【図９】
0005009765.tif 000010
【図１０】
0005009765.tif 000011